(57)【要約】      （修正有）【課題】少ない数のスピーカによって効率よくサウンドマスキングできるスピーカ装置を提供する。【解決手段】スピーカ装置１は、左右方向に延びるボックス２の上面に上方を向くスピーカ６が配設され、ボックス２の上面と、ボックス２の上面を覆うように設置されるカバー部材３と、によって左右方向に延びる左右空間部が形成される。カバー部材３の左右両端部の少なくとも前後に開口部３１が形成され、左右空間部が開口部３１により外部に連通している。【選択図】図２
2020072439.tif 000002
【特許請求の範囲】
【請求項１】
左右方向に延びるボックスの上面に上方を向くスピーカが配設され、前記ボックスの上面と、前記ボックスの上面を覆うように設置されるカバー部材と、によって左右方向に延びる左右空間部が形成され、前記カバー部材の左右両端部の少なくとも前後に開口部が形成され、前記左右空間部が前記開口部により外部に連通していることを特徴とするスピーカ装置。
【請求項２】
前記開口部は、前記カバー部材の左右両端部の前後から左右外側にかけて連続して形成されていることを特徴とする請求項１に記載のスピーカ装置。
【請求項３】
前記スピーカは、前記ボックスの上面略中央に設置されていることを特徴とする請求項１または２に記載のスピーカ装置。
【請求項４】
前記スピーカは、前記ボックスの上面より下方に配置されていることを特徴とする請求項１ないし３のいずれかに記載のスピーカ装置。
【請求項５】
前記ボックスは、その上面の左右端部にバスレフポートが備えられており、該バスレフポートに形成された貫通孔が前記ボックス内のボックス空間部と前記左右空間部とを連通していることを特徴とする請求項１ないし４のいずれかに記載のスピーカ装置。
【請求項６】
前記ボックスの前後幅を２５ないし４０ｍｍ、左右幅を２００ないし３００ｍｍ、内容積を１００ないし１２０ｃｍ３とし、前記バスレフポートの内径を３ないし５ｍｍ、長さを１５ないし２０ｍｍとしていることを特徴とする請求項５に記載のスピーカ装置。
【発明の詳細な説明】
【技術分野】
【０００１】
本発明は、スピーカ装置に係り、特にサウンドマスキングシステムに適したスピーカ装置に関する。
【背景技術】
【０００２】
間仕切り用のパネルを用いて空間を様々な形に仕切ることで、応接スペースや商談スペース等のブースを簡単に設置することができる。このように形成されたブースにあっては、パネルによって仕切られたブース内にいる者のプライバシーを視覚的に守ることができるものの、ブース内での会話音声が外に漏れて第三者に聞かれる可能性があるため、ブース内にいる者のプライバシーを聴覚的に守ることが求められている。
【０００３】
ブース内における会話音声が外部へ漏れないようにする技術として、音声をマスキングする技術が知られており、例えば特許文献１には、パネル内に設置した発音器（スピーカ）を振動させることで発音できる表面板と、遮音材を備えた背面板と、を備えたパネルを２枚背面板同士を当接させてパネル体が形成され、各パネルの発音器にマスキング音の信号を入力することで、パネルの表面板からマスキング音を発するよう構成されたマスキングパーティションが開示されている。それぞれのブースに対してマスキング音を発生させることによって、外部からはブース内の音声を聞こえにくくできるので、双方のブースの音声を相互に聞かれることを防いでいる。
【先行技術文献】
【特許文献】
【０００４】
【特許文献１】特開平４−３２３６９７号公報（第３頁、第１図）
【０００５】
しかしながら、パネル体はそれぞれのパネルの表面板からマスキング音を一方向に出力する構造であるため、発音器をパネル毎に配置する必要があり、発音器の設置台数が多くなり、マスキングパーティションの設置コストがかかる問題があった。
【発明の概要】
【発明が解決しようとする課題】
【０００６】
本発明は、このような問題点に着目してなされたもので、少ない数のスピーカによって効率よくサウンドマスキングできるスピーカ装置を提供することを目的とする。
【課題を解決するための手段】
【０００７】
前記課題を解決するために、本発明のスピーカ装置は、
左右方向に延びるボックスの上面に上方を向くスピーカが配設され、前記ボックスの上面と、前記ボックスの上面を覆うように設置されるカバー部材と、によって左右方向に延びる左右空間部が形成され、前記カバー部材の左右両端部の少なくとも前後に開口部が形成され、前記左右空間部が前記開口部により外部に連通していることを特徴としている。
この特徴によれば、スピーカの発する音が左右空間部を左右方向に伝わることで低音域の音を導いて開口部から出力できることから、スピーカ装置の前後方向に低音を出力でき、什器により区画された各領域に対して一台のスピーカ装置によってマスキング音を出力できるので、少ない数のスピーカによって効率よくサウンドマスキングできる。
【０００８】
前記開口部は、前記カバー部材の左右両端部の前後から左右外側にかけて連続して形成されていることを特徴としている。
この特徴によれば、左右空間部の左右両端部の外向きに水平方向に１８０度マスキング音を出力できるため、広い範囲に亘ってマスキング音を出力できる。
【０００９】
前記スピーカは、前記ボックスの上面略中央に設置されていることを特徴としている。
この特徴によれば、スピーカと左右の開口部との左右寸法が略同一であるため、開口部から略均一のマスキング音を出力できる。
【００１０】
前記スピーカは、前記ボックスの上面より下方に配置されていることを特徴としている。
この特徴によれば、左右空間部は上下に狭まることなく左右に連続する音の通路が確保できるため、音響効果を向上できる。
【００１１】
前記ボックスは、その上面の左右端部にバスレフポートが備えられており、該バスレフポートに形成された貫通孔が前記ボックス内のボックス空間部と前記左右空間部とを連通していることを特徴としている。
この特徴によれば、左右空間部に導かれた低音域の音に加えて、ボックス空間部及びバスレフポートを伝わることで共振した低音域の音をボックスの前後に出力できるので、開口部から十分なマスキング音を効果的に出力できる。
【００１２】
前記ボックスの前後幅を２５ないし４０ｍｍ、左右幅を２００ないし３００ｍｍ、内容積を１００ないし１２０ｃｍ３とし、前記バスレフポートの内径を３ないし５ｍｍ、長さを１５ないし２０ｍｍとしていることを特徴としている。
この特徴によれば、スピーカ装置を小型に構成でき、種々の什器にスピーカ装置を設置しながらサウンドマスキングシステムに必要な低音域の音を十分に鳴らすことができる。
【図面の簡単な説明】
【００１３】
【図１】本発明の実施例におけるパネル部材に取付けられたスピーカ装置を示す斜視図である。
【図２】実施例におけるスピーカ装置を示す分解斜視図である。
【図３】スピーカ装置を下方から見た斜視図である。
【図４】箱体及びスピーカを実線で、バスレフポートを二点鎖線で示した上面図である。
【図５】上面板を拡大して示す下方から見た斜視図である。
【図６】上面板の一部を切り欠いてスピーカ装置を拡大して示す斜視図である。
【図７】スピーカ装置を拡大して示す正面視断面図である。
【発明を実施するための形態】
【００１４】
本発明に係るスピーカ装置を実施するための形態を実施例に基づいて以下に説明する。
【実施例】
【００１５】
実施例１に係る商品陳列具につき、図１から図７を参照して説明する。以下、図２の紙面右下側及び図４の紙面下方を商品陳列具の正面側（前方側）とし、その前方側から見たときの上下左右方向を基準として説明する。
【００１６】
図１に示されるように、複数のパネル部材１０，１０，…（什器）を組合せて設置し、空間を仕切ることで、応接スペースや商談スペース等のブースＢが形成される。スピーカ装置１は、隣り合う２枚のパネル部材１０，１０に渡って横架するようにして、その上面に載置され、パネル部材１０に固定されている。スピーカ装置１をパネル部材１０，１０，…に複数設置してマスキング音を出力させることで、各ブースＢ，Ｂ，…内における会話音声が隣接するブースＢや外部の通路に漏洩しにくくなっている。
【００１７】
図２に示されるように、スピーカ装置１は、左右方向に延び略直方体を成すボックス２と、該ボックス２の左右前後寸法が略同一な板でありボックス２の上面を覆う上面板３（カバー部材）と、から主に構成されている。ボックス２は、上方が開口する箱体４と、略中央に上方を向くスピーカ６を有し箱体４を上方より塞ぐバッフル板５と、を備えている。尚、以後説明の便宜上、左右略同一を成す部材・部位については、特に断らない限り、一方についてのみ説明する。
【００１８】
箱体４は、トランス７、基板８及び該基板８に固定されるとともに電気的に接続されたコネクタ９が取り付けられており、一方の基板８とスピーカ６とは、トランス７を介して図示しない配線によって電気的に接続されている。箱体４の底板部には、左右方向の中心からの距離が略等しい位置に基板８が載置される２つの台座４２，４２が備えられており、各台座４２には下向きに貫通し箱体４の外部に連通する貫通孔４１が形成されている。さらに台座４２には、基板８に形成されるネジ貫通孔８１，８１に対応する雌ネジ穴４２ａ，４２ａが形成されている。また、箱体４の底板部の左右両端部に上方に突出する突出部４３，係合部４４が、バッフル板５の被係合孔５３，５４に対応して配置されている。尚、箱体４の底板部にはダルマ穴４５が形成されており（図３参照）、ネジ止めまたは釘止めされたパネル部材１０の上面にスピーカ装置１を着脱できるようになっている。
【００１９】
図２に戻って、バッフル板５は左右に延びる平面板５０を備え、略中央部に形成された凹部には、スピーカ６が載置される台座５５が備えられており、該台座５５に形成された円形の貫通孔５１には、スピーカ６が上方を向いたまま載置できるようになっている。さらに台座５５には、スピーカ６に形成されるネジ貫通孔６１，６１，６１，６１に対応する雌ネジ穴５５ａ，５５ａ，５５ａ，５５ａが形成されている。バッフル板５の左右両端部にはバスレフポート５２が備えられている。バスレフポート５２はバッフル板５の端部５６と該端部５６から下方に延びるダクト５２ａにより構成されており、バスレフポート５２には上下に貫通する貫通孔５２ｂが形成されている。また、バッフル板５の左右両端部には、被係合孔５３，５４が形成されている。
【００２０】
図４に示されるように、箱体４の底板部には、トランス７及び基板８が固定されるとともに、突出部４３及び係合部４４は前後略中央に形成されている。また、左右のバスレフポート５２，５２は、バッフル板５を箱体４の上方に取付けた際、前後にずれて配置され、各々バッフル板５の中心について略対称である。尚、バッフル板５を箱体４に取付けた状態では、バッフル板５は箱体４から上方に突出せず、箱体４の上端縁４０とバッフル板５の平面板５０の上面とが略同一の高さとなっており、またバッフル板５は上端縁４０の内側に配設できるようになっている（図６，７参照）。
【００２１】
図５に示されるように、上面板３は左右に延びる平面部３２と、その前後端から下方に僅かに延びる延設部３３，３３とを備え、該延設部３３，３３の左右両端部の前後から左右外側にかけて開口部３１が形成されている。また、延設部３３，３３の下端面には、幅狭のリブ３５，３５が備えられており、上面板３とボックス２の上面とを密に接触可能となっている（図６参照）。尚、平面部３２の左右両端部において下方に突出する係合部３４は、バッフル板５の被係合孔５３（図２参照）に対応する位置に備えられている。
【００２２】
スピーカ装置１の組立て方について説明する。図２を参照して、まず箱体４の台座４２にコネクタ９が下方を向くように貫通孔４１に挿通させて基板８を載置し、図示しない２本のネジをネジ貫通孔８１，８１を通して雌ネジ穴４２ａ，４２ａに螺合して基板８を台座４２に固定する。尚、コネクタ９に対し、ボックス２の外部から電気的接続が可能な配線ケーブル９１を接続することができるようになっている（図３参照）。
【００２３】
次いで、バッフル板５の台座５５にスピーカ６を載置し、スピーカ６が上方を向くように貫通孔５１に挿通させ、図示しない４本のネジをネジ貫通孔６１，６１，６１，６１を通して雌ネジ穴５５ａ，５５ａ，５５ａ，５５ａに螺合してスピーカ６を台座５５に固定する。また、スピーカ６と一方の基板８とを図示しない配線によりトランス７を介して電気的に接続する。尚、固定されたスピーカ６の最上方に位置するエッジ６０は、バッフル板５の平面板５０の上面より下方に位置している（図７参照）。
【００２４】
その後、突出部４３を被係合孔５３の開口縁部に当接させながら、係合部４４を被係合孔５４に圧入により係合させることにより、バッフル板５を箱体４に固定する。さらに、バッフル板５の被係合孔５３に、上面板３の係合部３４（図５参照）を圧入により係合させ、リブ３５，３５（図５参照）を押圧しながら延設部３３，３３が箱体４の上端縁４０を塞ぐ状態（図６参照）で、上面板３をボックス２の上面に固定する。このとき、図６，７を参照して、ボックス２の上面と、上面板３の平面部３２（図５参照）及び延設部３３，３３とによって上下に僅かな隙間を有し左右に延びる左右空間部Ｖ１が形成され、該左右空間部Ｖ１は上面板３の開口部３１によりスピーカ装置１の外部に連通している。また、バスレフポート５２の貫通孔５２ｂは左右空間部Ｖ１と、ボックス２内のボックス空間部Ｖ２とを連通している。尚、Ｖ１の上下寸法は、上面板３の平面部３２の厚さよりも小さいため、スピーカ装置１全体の上下寸法を小さくすることができる。
【００２５】
ここで、スピーカ装置１の音の出力について説明する。図７に示されるように、まずスピーカ６の表面から伝わる音は、左右空間部Ｖ１に導かれて上面板３の開口部３１に到達するが、高音域の音は、左右空間部Ｖ１において減衰し開口部３１に到達し難いため、開口部３１においては低音域の音が相対的に大きく出力される。
【００２６】
また、スピーカ６の裏面から伝わる音は、ボックス空間部Ｖ２及びバスレフポート５２を伝わるとき、低音域の周波数でヘルムホルツ共鳴が発生するため、増幅された低音域の音を開口部３１に伝えることができる。尚、バスレフポート５２の貫通孔５２ｂの内径及び長さを変更することで、所望の低音域の周波数で共振させることができる。
【００２７】
このように、スピーカ６から左右空間部Ｖ１を経て導かれる低音域の音（図７実線矢印）と、ボックス空間部Ｖ２を経て増幅される低音域の音（図７破線矢印）とが開口部３１で出力されるため、開口部３１から十分なマスキング音を効果的に出力できる。
【００２８】
次いで、スピーカ装置１の大きさと出力される音の関係について詳しく説明する。一般的なスピーカ装置の場合、式１によって共振周波数の特性が決められており、低音域から高音域までの出力バランスが考慮されるが、本実施例におけるスピーカ装置１の場合、小型でありながらサウンドマスキングに適するものとしたいので、高音域の音を多少犠牲にしながらも低音域の音が十分に出力できるよう、１２５Ｈｚに共振周波数を有し、当該１２５Ｈｚにおいて５０ｄＢ以上を出力可能なスピーカ装置について検討した。このようなスピーカ装置の実現には、実験的に導出された式２を満たす必要があると判明し、さらに寸法関係の条件としてボックス２の前後幅を２５ないし４０ｍｍ、左右幅を２００ないし３００ｍｍ、内容積を１００ないし１２０ｃｍ３とし、バスレフポート５２の内径を３ないし５ｍｍ、長さを１５ないし２０ｍｍである必要があるとも判明した。例えば、ボックス２の前後幅を４０ｍｍ、上下幅を２５ｍｍ、左右幅を２５０ｍｍ、内容積を１１０ｃｍ３、バスレフポート５２の内径を４ｍｍ（半径２ｍｍ）とすると、バスレフポート５２の長さＬは１９ｍｍとなる（ただし、バスレフポート５２の断面積Ｓを３．１４×０．２２＝０．１２５６ｃｍ２、内容積を０．１１Ｌとした）。
【００２９】
【数１】
2020072439.tif 000003
【００３０】
【数２】
2020072439.tif 000004
【００３１】
以上説明したように、左右方向に延びるボックス２の上面に上方を向くスピーカ６が配設され、ボックス２の上面と、ボックス２の上面を覆うように設置される上面板３と、によって左右方向に延びる左右空間部Ｖ１が形成され、上面板３の左右両端部の前後に開口部３１が形成され、左右空間部Ｖ１が開口部３１により外部に連通している。これによれば、スピーカ６の発する音が左右空間部Ｖ１を左右方向に伝わることで低音域の音を導いて開口部３１から出力できることから、スピーカ装置１の前後方向に低音を出力でき、パネル部材１０により区画された各ブースＢ，Ｂに対して一台のスピーカ装置１によってマスキング音を出力できるので、少ない数のスピーカ６によって効率よくサウンドマスキングできる。
【００３２】
また、開口部３１は、上面板３の左右両端部の前後から左右外側にかけて連続して形成されていることから、左右空間部Ｖ１の左右両端部の外向きに水平方向に１８０度マスキング音を出力できるため、広い範囲に亘ってマスキング音を出力できる。
【００３３】
また、スピーカ６は、ボックス２の上面略中央に設置されていることから、スピーカ６と左右の開口部３１との左右寸法が略同一であるため、開口部３１から略均一のマスキング音を出力できる。
【００３４】
また、スピーカ６は、ボックス２の上面より下方に配置されていることから、左右空間部Ｖ１は上下に狭まることなく左右に連続する音の通路が確保できるため、音響効果を向上できる。さらに、スピーカ装置１全体の上下寸法を小さくできる。
【００３５】
また、ボックス２は、その上面の左右端部にバスレフポート５２が備えられており、該バスレフポート５２に形成された貫通孔５２ｂがボックス２内のボックス空間部Ｖ２と左右空間部Ｖ１とを連通していることを特徴としていることから、左右空間部Ｖ１に導かれた低音域の音に加えて、ボックス空間部Ｖ２及びバスレフポート５２を伝わることで共振した低音域の音をボックス２の前後に出力できるので、開口部３１から十分なマスキング音を効果的に出力できる。
【００３６】
また、ボックス２の前後幅を４０ｍｍ、左右幅を２５０ｍｍ、内容積を１１０ｃｍ３とし、バスレフポートの内径を４ｍｍ、長さを１９ｍｍとしていることから、スピーカ装置１を小型に構成でき、種々のパネル部材１０にスピーカ装置１を設置しながらサウンドマスキングシステムに必要な低音域の音を十分に鳴らすことができる。また、ボックス２の前後幅を４０ｍｍとして、パネル部材１０の厚さ以下にすることで、前後にスピーカ装置１が突出せず見栄えがよい。
【００３７】
また、ボックス２は、該ボックス２の左右前後寸法が略同一な上面板３によって面を覆われていることから、スピーカ装置と外見上認識され難く、美観に優れ、パネル部材１０への設置に適している。
【００３８】
また、トランス７、基板８、突出部４３及び係合部４４は、箱体４の底板部において前後略中央に配置されていることから、これらの部品と箱体の前後壁との間に左右に延びる空間が形成されているため、ボックス空間部Ｖ２における共振が良好となる。
【００３９】
また、左右のバスレフポート５２，５２は、前後にずれて配置され、各々バッフル板５の中心について略対称であるため、バッフル板５を上下軸の周りに１８０度回転させても機能性を損なうことなく箱体４に装着できる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、スピーカ装置１は、パネル部材１０に設置してブースＢ内における会話音声が外部へ漏れないように用いられると説明したが、これに限らずパネル部材１０以外に設置してもよいし、会話音声の外部漏洩防止以外の用途に用いられてもよい。
【００４２】
また、スピーカ装置１はパネル部材１０の上面に設置されると説明したが、これに限らず、パネル部材の他の面に設置されていてもよい。
【００４３】
また、ボックス２は左右方向に延び略直方体を成すと説明したが、これに限らず、例えば平面視における正方形や楕円形等を成していてもよい。
【００４４】
また、上面板３、箱体４及びバッフル板５は、係合部及び被係合孔により係合固定されると説明したが、これに限らず、例えばネジ止め固定であってもよい。
【００４５】
また、開口部３１は、上面板３の左右両端部の前後から左右外側にかけて連続して形成されていると説明したが、これに限らず、上面板３の左右両端部の前後のみに形成されていてもよい。
【００４６】
また、リブ３５，３５は延設部３３，３３の下端面に備えられていると説明したが、これに限らずなくてもよい。
【００４７】
また、バッフル板５は上端縁４０の内側に配設されていると説明したが、これに限らず、バッフル板が上端縁の上方に配設されていてもよい。
【００４８】
また、スピーカ６は４本のネジでバッフル板５に対して螺合固定され、基板８は２本のネジで箱体４に対して螺合固定されると説明したが、これに限らず、ネジの本数は任意でよく、或いはネジの替わりに例えば接着剤による接着固定であってもよい。
【符号の説明】
【００４９】
１            スピーカ装置
２            ボックス
３            上面板（カバー部材）
４            箱体（ボックス）
５            バッフル板（ボックス）
６            スピーカ
１０          パネル部材（什器）
３１          開口部
５２          バスレフポート
５２ｂ        貫通孔
Ｖ１          左右空間部
Ｖ２          ボックス空間部
【図１】
2020072439.tif 000005
【図２】
2020072439.tif 000006
【図３】
2020072439.tif 000007
【図４】
2020072439.tif 000008
【図５】
2020072439.tif 000009
【図６】
2020072439.tif 000010
【図７】
2020072439.tif 000011